【手続補正書】
【提出日】平成25年6月26日(2013.6.26)
【手続補正１】
【補正対象書類名】明細書
【補正対象項目名】００１３
【補正方法】変更
【補正の内容】
【００１３】
上記目的を達成するために、本発明の分光測色装置は、被検面上に配置された被検物からの光束を分光する分光素子と、該分光素子により分光された光束を受光する受光素子と、前記被検物からの光束を前記分光素子に導光する導光光学系と、を備え、前記分光素子に入射する光束の主光線と、前記分光素子にて分光された光束の主光線とを含む面を分光平面と定義するとき、前記被検面と分光平面とは互いに平行であり、かつ、前記被検面と前記受光素子の受光面とは互いに非平行であることを特徴とする。
【手続補正２】
【補正対象書類名】明細書
【補正対象項目名】００１４
【補正方法】変更
【補正の内容】
【００１４】
前記分光測色装置のさらなる実施形態においては、前記分光平面と前記受光面とは互いに直交していることを特徴とする。
前記分光測色装置のさらなる実施形態においては、前記被検物からの光束を規制する絞りを有することを特徴とする。
【手続補正３】
【補正対象書類名】明細書
【補正対象項目名】００１５
【補正方法】変更
【補正の内容】
【００１５】
前記分光測色装置のさらなる実施形態においては、前記分光素子は凹面反射型回折素子であり、前記絞りと前記凹面反射型回折素子と前記受光素子とは、ローランド円上に配置されていることを特徴とする。
前記分光測色装置のさらなる実施形態においては、前記導光光学系は、前記被検物からの光束を該光束が前記導光光学系に入射する方向に対して垂直な方向に折り曲げており、前記被検面と前記絞りとは、少なくとも一つの断面内において互いに共役であることを特徴とする。
【手続補正４】
【補正対象書類名】明細書
【補正対象項目名】００１６
【補正方法】変更
【補正の内容】
【００１６】
前記分光測色装置のさらなる実施形態においては、前記被検物は、前記被検面を含む平面内において、前記絞りにより規定される矩形状の読み取り領域の長手方向に対して垂直な方向に搬送されることを特徴とする。
【手続補正５】
【補正対象書類名】明細書
【補正対象項目名】００１７
【補正方法】変更
【補正の内容】
【００１７】
前記分光測色装置のさらなる実施形態においては、前記被検物を照明する照明光学系を有しており、前記絞りと前記分光素子の面頂点とを結ぶ線を基準線とした時、前記照明光学系と前記受光素子とは、前記基準線を挟んで対向する位置に配置されていることを特徴とする。
【手続補正６】
【補正対象書類名】明細書
【補正対象項目名】００１８
【補正方法】変更
【補正の内容】
【００１８】
前記分光測色装置のさらなる実施形態においては、前記分光測色装置の、前記被検面の面法線方向における前記分光測色装置の厚みをｄ（ｍｍ）、前記被検面に平行な面内での前記分光測色装置の最大幅をＷ（ｍｍ）とした時、条件０．１＜ｄ／Ｗ＜１、を満足することを特徴とする。
前記分光測色装置のさらなる実施形態においては、被検面上に配置された被検物からの光束を分光する分光素子と、該分光素子により分光された光束を受光する受光素子と、前記被検物からの光束を前記分光素子に導光する導光光学系と、を備える分光測色装置であって、前記導光光学系に入射する光束の主光線と前記導光光学系から出射する光束の主光線とを含む面と、前記分光素子に入射する光束の主光線と前記分光素子にて分光された光束の主光線とを含む面と、は互いに異なり、前記被検面と前記受光素子の受光面とは互いに非平行であることを特徴とする。
前記分光測色装置のさらなる実施形態においては、前記分光素子に入射する光束の主光線と前記分光素子にて分光された光束の主光線とを含む面と、前記受光面と、は互いに直交していることを特徴とする。
本発明の画像形成装置は、感光面上に形成される潜像をトナー像として現像する現像器と、前記現像されたトナー像を記録材に定着させる定着器と、前記記録材に形成された画像の色を検出する請求項１乃至１０のいずれか１項に記載の分光測色装置と、を備えることを特徴とする。
【手続補正７】
【補正対象書類名】特許請求の範囲
【補正対象項目名】全文
【補正方法】変更
【補正の内容】
【特許請求の範囲】
【請求項１】
被検面上に配置された被検物からの光束を分光する分光素子と、該分光素子により分光された光束を受光する受光素子と、前記被検物からの光束を前記分光素子に導光する導光光学系と、を備える分光測色装置であって、
前記分光素子に入射する光束の主光線と前記分光素子にて分光された光束の主光線とを含む面を分光平面と定義するとき、
前記被検面と分光平面とは互いに平行であり、かつ、前記被検面と前記受光素子の受光面とは互いに非平行であることを特徴とする分光測色装置。
【請求項２】
前記分光平面と前記受光面とは互いに直交していることを特徴とする請求項１に記載の分光測色装置。
【請求項３】
前記被検物からの光束を規制する絞りを有することを特徴とする請求項１に記載の分光測色装置。
【請求項４】
前記分光素子は凹面反射型回折素子であり、
前記絞りと前記凹面反射型回折素子と前記受光素子とは、ローランド円上に配置されていることを特徴とする請求項３に記載の分光測色装置。
【請求項５】
前記導光光学系は、前記被検物からの光束を該光束が前記導光光学系に入射する方向に対して垂直な方向に折り曲げており、
前記被検面と前記絞りとは、少なくとも一つの断面内において互いに共役であることを特徴とする請求項３又は４に記載の分光測色装置。
【請求項６】
前記被検物は、前記被検面を含む平面内において、前記絞りにより規定される矩形状の読み取り領域の長手方向に対して垂直な方向に搬送されることを特徴とする請求項３乃至５のいずれか１項に記載の分光測色装置。
【請求項７】
前記被検物を照明する照明光学系を有しており、前記絞りと前記分光素子の面頂点とを結ぶ線を基準線とした時、前記照明光学系と前記受光素子とは、前記基準線を挟んで対向する位置に配置されていることを特徴とする請求項３乃至６のいずれか１項に記載の分光測色装置。
【請求項８】
前記被検面の面法線方向における前記分光測色装置の厚みをｄ（ｍｍ）、前記被検面に平行な面内での前記分光測色装置の最大幅をＷ（ｍｍ）、とした時、
０．１＜ｄ／Ｗ＜１
なる条件を満足することを特徴とする請求項１乃至７のいずれか１項に記載の分光測色装置。
【請求項９】
被検面上に配置された被検物からの光束を分光する分光素子と、該分光素子により分光された光束を受光する受光素子と、前記被検物からの光束を前記分光素子に導光する導光光学系と、を備える分光測色装置であって、
前記導光光学系に入射する光束の主光線と前記導光光学系から出射する光束の主光線とを含む面と、前記分光素子に入射する光束の主光線と前記分光素子にて分光された光束の主光線とを含む面と、は互いに異なり、
前記被検面と前記受光素子の受光面とは互いに非平行であることを特徴とする分光測色装置。
【請求項１０】
前記分光素子に入射する光束の主光線と前記分光素子にて分光された光束の主光線とを含む面と、前記受光面と、は互いに直交していることを特徴とする請求項９に記載の分光測色装置。
【請求項１１】
感光面上に形成される潜像をトナー像として現像する現像器と、
前記現像されたトナー像を記録材に定着させる定着器と、
前記記録材に形成された画像の色を検出する請求項１乃至１０のいずれか１項に記載の分光測色装置と、
を備えることを特徴とする画像形成装置。